(57)【要約】【課題】親綱支柱本体を軽量化するとともに、親綱支柱本体の側辺に凹凸部及び凹部のいずれをも形成することなく、支柱本体に応力集中部を設けてなる親綱支柱を提供する。【解決手段】支柱本体と、支柱本体の上端部に取り付けられた親綱保持金具と、鉄骨梁のフランジ部に固定するための固定部材からなる親綱支柱であって、支柱本体は、上方に向かって断面が幅狭となるテーパー管からなる下部の鞘管と、この鞘管内部に挿入可能かつ固定可能な上部の芯管とからなることを特徴とする親綱支柱。【選択図】図１
2010185261.tif 000002
【特許請求の範囲】
【請求項１】
支柱本体と、支柱本体の上端部に取り付けられた親綱保持金具と、鉄骨梁のフランジ部に固定するための固定部材からなる親綱支柱であって、支柱本体は、上方に向かって断面が幅狭となるテーパー管からなる下部の鞘管と、この鞘管内部に挿入可能かつ固定可能な上部の芯管とからなることを特徴とする親綱支柱。
【請求項２】
上部の芯管の端部の側面に幅調整部材を取り付けることを特徴とする、請求項１に記載の親綱支柱。
【請求項３】
下部の鞘管に支柱本体の上端に向かって鉄骨梁から遠ざかる向きの傾斜角度を設けることを特徴とする、請求項１又は２に記載の親綱支柱。
【請求項４】
下部の鞘管の断面形状が四角形であることを特徴とする、請求項１から３までのいずれかに記載の親綱支柱。
【請求項５】
下部の鞘管の断面形状が円形であることを特徴とする、請求項１から３までのいずれかに記載の親綱支柱。
【発明の詳細な説明】
【技術分野】
【０００１】
本発明は、建設中の建物における高所作業の安全を確保する目的で、作業者の腰に取り付けた安全帯の先端に設けたフックを引っ掛ける親綱を架け渡すために、鉄骨梁のフランジ部に立設する親綱支柱に関する。
【背景技術】
【０００２】
従来、鉄骨梁のフランジ部に取り付けて使用する親綱支柱としては、長方形又は正方形の断面を有する角管からなる支柱本体と、この支柱本体の下端部に設けられた万力等の固定金具と、支柱本体の上端部に取り付けられた親綱保持金具とを有しているものが一般的であり、Ｈ形鋼等からなる鉄骨梁の上部フランジに万力等の固定金具で把持固定することで親綱支柱を立設していた。そして、１本の鉄骨梁には２本以上の親綱支柱が取り付けられ、隣り合う親綱支柱間には各々の親綱保持金具を介して親綱が架け渡されることになる。
【０００３】
これにより、作業者は腰に取り付けた安全帯の先端に設けたフックを、隣り合う親綱支柱間に架け渡された親綱に引っ掛けることで、作業者が誤って鉄骨梁から足を踏み外して鉄骨梁から落下しても安全帯が親綱に引き留められることになるから、鉄骨梁から地上に落下する心配がなく、安全に高所作業を行うことができる。なお、作業者は親綱支柱間に架け渡された親綱に沿って親綱支柱まで歩行した後に、その親綱に引っ掛けたフックを外し、次の親綱支柱間に架け渡された隣の親綱にフックを引っ掛けて直してから次の親綱支柱間を歩行することになる。ここで、フックにはロック機構が付いており、親綱に沿っての歩行中はロックが掛けられている。
【０００４】
ここで、親綱支柱には、「平行型」と「直交型」の２種類がある。これらは、鉄骨梁への親綱支柱の設置場所に応じて、次のように使い分けられている。
【０００５】
「平行型」親綱支柱は、鉄骨梁の長手方向の同じ側の側縁部に複数本立設されるが、鉄骨梁と平行の方向のみに荷重が作用する場合に用いられるものであって、１本の「平行型」親綱支柱に取り付けられる親綱の張られる方向は鉄骨梁と平行の方向である。したがって、「平行型」親綱支柱は、断面正方形の角管から製作してもよいが、断面長方形の角管から製作してもよい。なお、断面長方形の角管から製作された「平行型」親綱支柱は、その断面が、荷重の作用する平行方向を長辺とし、荷重の作用しない直角方向が短辺となるように、立設されて用いられる。
【０００６】
なお、「平行型」親綱支柱では、２本の鉄骨梁が直交するコーナー部では、それぞれの鉄骨梁に張られる親綱の端面に当たる場所には、それぞれに、「平行型」親綱支柱を立設する必要がある。すなわち、一本の「平行型」親綱支柱を立設して兼用することはできないので、２本の鉄骨梁が直交するコーナー部では、「平行型」親綱支柱を２本設置する必要がある。
【０００７】
これに対して、「直交型」親綱支柱は、２本の鉄骨梁が直交するコーナー部などに配置されて固定される。１本の「直交型」親綱支柱に取り付けられる親綱は、鉄骨梁と平行の方向だけでなくその直角方向にも張られるから、「直交型」親綱支柱には鉄骨梁と平行の方向だけでなくその直角方向にも荷重が作用する。したがって、「直交型」親綱支柱は、平行方向および直角方向とも同一の剛性になるように、通常、断面正方形の角管から製作されている。
【０００８】
「直交型」親綱支柱を用いると、２本の鉄骨梁が直交するコーナー部では一本の「直交型」親綱支柱で兼用することができるので、「直交型」親綱支柱を１本立設するだけで済むという利点がある。また、２本の並行する鉄骨梁に対して直角に１本の鉄骨梁が組み込まれている場合であって、直角に組み込まれている１本の鉄骨梁の長さが短い（１０ｍ以下）場合には、その１本の短い鉄骨梁には殊更に親綱支柱を立設しなくても、２本の並行する鉄骨梁のそれぞれに立設された「直交型」親綱支柱の間に直接親綱を張ることによって、その１本の短い鉄骨梁について親綱を張ることができるという利点がある。
【０００９】
「直交型」親綱支柱は、「平行型」親綱支柱としても使用することができるので、「兼用型」親綱支柱と呼ばれることもある。
【００１０】
親綱支柱は、親綱保持金具が鉄骨梁の外側へ張り出した位置となるように、支柱本体の上端部に向かって鉄骨梁から遠ざかる方向に傾けることにより、垂直の支柱に比べて親綱の位置が鉄骨梁より外側へ張り出した位置となり、作業員の歩行スペースを大きく取ることができるので、特に鉄骨フランジ幅の狭い小梁上での歩行を妨げず、安全通路の確保ができる。
【００１１】
ところで、従来の親綱支柱にあっては、平行型と直交型とを問わず、作業者が鉄骨梁から落下した場合には、作業者の腰に取り付けた安全帯の先端に設けたフックが引っかけられた親綱に、作業者の体重分の大きな衝撃荷重が垂直方向に作用することで親綱に引っ張り力が働き、その親綱が落下した作業者を中心にして左右に配置されている親綱支柱の上端部の親綱保持金具を互いに引き寄せる力が発生する。そのため、固定金具と支柱本体との接合部分に当たる支柱本体の下端部に大きな曲げ応力が働き、固定金具が破損して親綱支柱が鉄骨梁から脱落したり、あるいは支柱本体が根本から折れ曲がったりするおそれがあった。その結果、固定金具が破損した場合は勿論、支柱本体が根本から折れ曲がった場合には、親綱が鉄骨梁近くまで又はさらに下方にまで垂れ下がり、その結果、作業者の落下距離が大きくなるので、作業者自身に大きな衝撃力が働いたり、作業者が鉄骨梁やその他の構築物等に打ち付けられたりするといった大事故に繋がる恐れがあった。
【００１２】
このため、特許文献１には、親綱支柱として、断面が四角形の支柱本体の中程の側辺に凹凸部を形成し、かつ、他の側辺の中程に凹部を形成することによって、支柱本体の中程に応力集中部を設けることが提案されている。このような応力集中部を設けることによって、作業者が鉄骨梁から落下して親綱支柱に対して横方向に大きな力が働いても、親綱支柱本体の中程に設けられた応力集中部に応力が集中的に作用して、親綱支柱本体はその中程に設けられた応力集中部から折れ曲がることになるので、親綱支柱本体が根本から折れ曲がったり固定金具が破損したりする恐れは小さくなるとしている。また、親綱支柱本体はその根本ではなく中程で折れ曲がることになるので、親綱が当初の位置から大きく垂れ下がることがないし、作業者の落下による衝撃力を応力集中部での折れ曲げに必要なエネルギーで吸収することになるから、作業者に与える衝撃力はそれだけ小さなものとなり、大事故を回避することができるとしている。
【先行技術文献】
【特許文献】
【００１３】
【特許文献１】特許第３８５３７８０号公報
【発明の概要】
【発明が解決しようとする課題】
【００１４】
しかしながら、特許文献１に記載された親綱支柱では、断面が四角形の支柱本体の中程の一側辺に凹凸部を形成し、かつ、他の側辺に凹部を形成することによって、支柱本体の中程に応力集中部を設けており、このため、専用の金型を用いて複雑なプレス加工を施す必要がある。
【００１５】
また、支柱本体の全長にわたって同一幅の断面を有する角管を用いているため、親綱支柱の重量が大きくなるという問題点がある。
【００１６】
本発明の目的は、親綱支柱本体を軽量化するとともに、親綱支柱本体の側辺に凹凸部及び凹部のいずれをも形成することなく、支柱本体に応力集中部を設けてなる親綱支柱を提供することにある。
【課題を解決するための手段】
【００１７】
本発明者らは、親綱支柱本体の側辺に凹凸部及び凹部のいずれをも形成することなく、支柱本体に応力集中部を有し、かつ、軽量化が可能な親綱支柱に関して、検討を重ねた。その結果、次に示す(a)〜(f)の知見を得た。
【００１８】
(a) 作業者が鉄骨梁から落下した場合には、作業者の腰に取り付けた安全帯の先端に設けたフックと、このフックが引っかけられている親綱と、この親綱を保持する親綱保持金具を介して、親綱支柱本体の頂部には斜め下方向に作業者の体重分の衝撃荷重が作用する。ところが、この衝撃荷重による曲げモーメントは、親綱支柱の頂部に小さく、根本部に大きく作用する。したがって、親綱支柱本体の全長を同一幅の角管で構成すると、根本部は適正な強度設計となるが、頂部は過大な強度設計となってしまう。
【００１９】
これを避けるためには、親綱支柱本体を頂部に向かって断面が幅狭となるテーパー管で構成すればよい。すなわち、落下時の衝撃荷重による曲げモーメントは親綱支柱本体の根本部から頂部に向けて徐々に小さくなるので、この曲げモーメントの性状の変化に合わせて、親綱支柱本体に頂部に向かって断面が幅狭となるテーパー管を採用すれば、親綱支柱本体の根本部から頂部まで適正な強度設計とすることが可能となる。また、このようなテーパー管を採用することによって、親綱支柱本体の重量を減らすことができるため、親綱支柱の軽量化が可能となる。
【００２０】
(b) 次に、親綱支柱本体の側辺に凹凸部及び凹部のいずれをも形成することなく、支柱本体に応力集中部を形成するためには、親綱支柱本体の途中に、その断面積が急激に変化する個所を形成すればよい。そして、支柱本体の断面積を急激に変化させるためには、１本の連続したテーパー管から形成する必要はない。親綱支柱本体を上方に向かって断面が幅狭となるテーパー管からなる下部の鞘管と、この鞘管内部に挿入可能かつ固定可能な上部の芯管とから構成するだけでよい。このとき、下部の鞘管に支柱本体の上端部に向かって鉄骨梁から遠ざかる方向への傾斜角度を設けることもできる。
【００２１】
そして、下部の鞘管の下端部には万力等の固定金具を設け、上部の芯管の上端部には親綱保持金具を設けることによって、親綱支柱を作製することができる。また、下部の鞘管の側面には親綱支柱の取り扱いが便利なように取手を取り付けることができる。さらに、上部の芯管の端部の側面に幅調整部材を取り付けて、上部の芯管の一部を下部の鞘管の内部に収容した状態で親綱支柱の複数個を横向けに載置した状態において、上部の芯管の端部の高さと固定部材の高さを揃えることができるので、スペースの無駄を少なくして、複数個の親綱支柱を保管することができるとともに運搬することができる。
【００２２】
こうすれば、親綱支柱本体は鞘管の上端の直上の芯管部分で応力集中部を形成するから、作業者の落下時には、親綱支柱本体は鞘管の上端の直上の芯管部分から折れ曲がることになる。しかも、鞘管の上端の直上の芯管部分は、親綱支柱本体の下部の鞘管の断面幅よりも小さいから、撓りやすくなるので、鞘管の上端の直上の芯管部分が折れ曲がる前の弾性変形量は大きくなり、その分、落下した作業者に作用する衝撃荷重を小さくすることができる。
【００２３】
(c) ここで、下部の鞘管に用いられるテーパー管の断面形状としては、四角形だけでなく、円形を採用することもできる。また、四角形以外の多角形であってもよい。テーパー管は、たとえば、板状の材料を台形に裁断し折り目を付けた上でその両側辺の間を線溶接するか、又は同一外径の角管若しくは円管をプレスとダイスによって絞り加工するか若しくは成形ローラーを用いてスピニング加工することによって、形成することができる。また、その材料としては、鉄鋼やアルミニウムなどの金属材料を用いることができる。
【００２４】
なお、「直交型」親綱支柱の下部鞘管は、鉄骨梁の長手方向に対して、平行方向および直角方向とも同一の剛性になるようにするのがよく、断面が正多角形の角管又は正円形の円管から製作するのがよい。そして、「平行型」親綱支柱の下部鞘管は、断面が正多角形の角管又は正円形の円管正方形の角管から製作してもよいが、断面長方形の角管又は楕円形の円管から製作してもよい。
【００２５】
(d) 次に、この鞘管内部に挿入可能かつ固定可能な上部の芯管としては、上述のとおり、テーパー管を用いてもよいが、直管を用いることもできる。また、その断面形状としては四角形だけでなく、円形を採用することもできる。また、四角形以外の多角形であってもよい。また、上部の芯管の材料としては、下部の鞘管と同じ鉄鋼やアルミニウムなどの金属材料を用いることができるし、下部の鞘管とは別の材料を用いてもよい。この場合、上部の芯管の材料として下部の鞘管よりも撓りやすい材料を用いれば、落下した作業者に作用する衝撃荷重をさらに小さくすることができる。
【００２６】
なお、「直交型」親綱支柱の上部芯管は、鉄骨梁の長手方向に対して、平行方向および直角方向とも同一の剛性になるようにするのがよく、断面が正多角形の角管又は正円形の円管から製作するのがよい。そして、「平行型」親綱支柱の上部芯管は、断面が正多角形の角管又は正円形の円管正方形の角管から製作してもよいが、断面長方形の角管又は楕円形の円管から製作してもよい。
【００２７】
(e) そして、下部の鞘管の内部に上部の芯管を挿入可能かつ固定可能にするためには、下部の鞘管の内部に上部の芯管を嵌合した上で、ピン又はボルト・ナット等を用いて固定すればよい。このためには、鞘管の上端部の内部形状と、芯管の下端部の外部形状が同じであればよく、例えば、鞘管の上端部のみを直管形状として芯管との接続部を形成し、この接続部の内部形状に嵌合する外部形状を有する直管形状の芯管の下端を挿入できるようにすればよい。このように、親綱支柱本体を下部鞘管とこの鞘管内部に挿入可能かつ固定可能な上部芯管とから構成すると、親綱支柱を倉庫等に保管するときと運搬するときには芯管の一部を鞘管内に収容しておき、そして鉄骨梁に設置する際には芯管を引き出して固定することができる。このとき、上部の芯管が下部の鞘管内に入り込まないように、また、上部の芯管が下部の鞘管から外れないように、それぞれ、ストッパーを設けるのがよい。なお、ピン又はボルト・ナット等の配置を工夫することで、ストッパーに代えることもできる。
【００２８】
(f) このように、上方に向かって断面が幅狭となるテーパー管からなる下部の鞘管と、この鞘管内部に挿入可能かつ固定可能な上部の芯管とから親綱支柱本体を構成すると、親綱支柱を倉庫等に保管するときと運搬するときには芯管の一部を鞘管内に収容しておき、そして鉄骨梁に設置する際には芯管を引き出して固定することができる。したがって、保管時と運搬時の場所を取らないので、保管コストと運搬コストを節約することができる。また、作業者の落下や運搬時の衝撃によって、上部の芯管が折れ曲がった場合には、折れ曲がった上部の芯管のみを取り換えればよいので、修理コストを低下させることができる。
【００２９】
本発明は、上記の知見に基づきなされたもので、その要旨は下記の(1)〜(5)の親綱支柱にある。
【００３０】
(1) 支柱本体と、支柱本体の上端部に取り付けられた親綱保持金具と、鉄骨梁のフランジ部に固定するための固定部材からなる親綱支柱であって、支柱本体は、上方に向かって断面が幅狭となるテーパー管からなる下部の鞘管と、この鞘管内部に挿入可能かつ固定可能な上部の芯管とからなることを特徴とする親綱支柱。
【００３１】
(2) 上部の芯管の端部の側面に幅調整部材を取り付けることを特徴とする、上記(1)の親綱支柱。
【００３２】
(3) 下部の鞘管に支柱本体の上端に向かって鉄骨梁から遠ざかる向きの傾斜角度を設けることを特徴とする、上記(1)又は(2)の親綱支柱。
【００３３】
(4) 下部の鞘管の断面形状が四角形であることを特徴とする、上記(1)〜(3)のいずれかの親綱支柱。
【００３４】
(5) 下部の鞘管の断面形状が円形であることを特徴とする、上記(1)〜(3)のいずれかの親綱支柱。
【発明の効果】
【００３５】
本発明に係る親綱支柱は、支柱本体が軽量化されるとともに、支柱本体の側辺に凹凸部及び凹部のいずれをも形成することなく、下部鞘管の上端の直上の芯管部分に断面積の小さい応力集中部が設けられていて、作業者が鉄骨梁から落下した場合には、親綱支柱本体がこの応力集中部の芯管部分で折れ曲がることによりエネルギーを吸収できるから、その作業者に作用する衝撃荷重を小さくすることができる。また、芯管を鞘管内に収容可能であるから、保管時と運搬時に場所を取らないし、支柱本体が折れ曲がったときの修理も楽である。さらに、支柱本体の側辺に凹凸部及び凹部を形成するための複雑なプレス加工を施す必要がないので、専用の金型も不要であり、製作コストを下げることができる。
【図面の簡単な説明】
【００３６】
【図１】本発明に係る親綱支柱の一例である。(a)は正面図、(b)は右側面図を示す。
【図２】本発明に係る親綱支柱が立設された鉄骨梁のフランジ上を作業者が歩行する際に、作業者の腰に取り付けた安全帯の先端に設けたフックを、親綱支柱間に架け渡された親綱に引っ掛けた状態の一例を示す正面図である。
【図３】作業者が万一、鉄骨梁から落下したときの親綱と親綱支柱の状態の一例を示す正面図である。
【図４】親綱支柱の上部芯管を下部鞘管内に収容したときの一例である。(a)は正面図、(b)は右側面図を示す。
【図５】上部芯管を下部鞘管内に収容した状態で複数の親綱支柱を運搬のために結束する前の整頓した状態を示す上面図である。
【図６】本発明に係る親綱支柱の他の例である。(a)は正面図、(b)は右側面図、そして、(c)はＡ−Ａ矢視断面図（拡大図）を示す。
【図７】図６に示す親綱支柱の上部芯管を下部鞘管内に収容したときの一例である。(a)は正面図、(b)は右側面図を示す。
【発明を実施するための形態】
【００３７】
以下、図面を用いて本発明に係る親綱支柱を説明する。なお、本発明は次の実施例に限定されるものではない。
【実施例１】
【００３８】
図１は、本発明に係る親綱支柱の一例である。(a)は正面図、(b)は右側面図を示す。
【００３９】
この親綱支柱１は、支柱本体と、支柱本体の上端部に取り付けられた親綱保持金具１０と、Ｈ形鋼からなる鉄骨梁のフランジ部に固定するための固定部材５からなる。
【００４０】
支柱本体は、上方に向かって断面が幅狭となる断面正円形のテーパー管からなる下部の鞘管２ａと、この鞘管２ａの内部に挿入可能かつ固定可能な上部の芯管２ｂとからなり、上部の芯管２ｂは断面正円形の直管から製作されている。そして、鞘管２ａの上端部には、その中に芯管２ｂの下端部を嵌合させて挿入できるように、断面正円形の直管からなる接続部２ｃが設けられている。
【００４１】
上部の芯管２ｂの側面には、下端近傍に２個の下部孔４ａと中程に２個の上部孔４ｂとからなる合計４個の孔が穿たれ、それぞれの孔の内側にはピンが外向きに付勢された状態で設置されている。すなわち、下端近傍の２個の下部孔４ａのそれぞれの内側に下部ピン３ａと、中程の２個の上部孔４ｂのそれぞれの内側には上部ピン３ｂとが設置されており、上部の芯管２ｂの内部に取り付けられたバネ鋼８により、上部ピン３ａと下部ピン３ｂの頭がそれぞれの孔から出るように外向きに付勢されている。
【００４２】
また、接続部２ｃには２個の孔４ｃが穿たれており、上部の芯管２ｂの側面の下端近傍に設けられた２個の下部ピン３ａの頭が接続部２ｃに穿たれた２個の孔４ｃから出ている。なお、２個の下部ピン３ａはバネ鋼によって外向きに付勢されているので、この下部ピン３ａの頭を人力によって押さえつけない限り、接続部２ｃに穿たれた２個の孔４ｃから外れることはない。
【００４３】
このように、上部の芯管２ｂの下部ピン３ａの頭を接続部２ｃに穿たれた２個の孔４ｃから出すことによって、下部の鞘管２ａから上部の芯管２ｂを最大限に引き出した状態で固定することができる。ここでは、ピン自体がストッパーの役目を果たしていることになる。
【００４４】
支柱本体は、鉄骨梁のフランジ部の上に支柱本体の上端に向かって鉄骨梁から遠ざかる向きに１０゜の傾斜角度を持たせて立設かつ固定されるが、このために支柱本体の下部鞘管２ａは固定部材５に対して１０゜傾斜した状態で溶接によって接合されている。この固定部材５は、万力構造をしており、側面からみてコの字形の湾曲部を有している。コの字形の湾曲部の下面には下部固定板６が設けられ、そして、上面には取り付けボルト７が設けられている。この下部固定板６の上に、鉄骨梁のフランジ部を嵌め込み、取り付けボルト７を上から締め付けることによって、この固定部材５を鉄骨梁のフランジ部に固定することができる。なお、ここでは、支柱本体の上端に向かって鉄骨梁から遠ざかる向きの傾斜角度として１０゜を採用したが、支柱本体の上端に向かって鉄骨梁から遠ざかる向きの傾斜角度としては５〜２０゜の間で適宜選択することができる。また、支柱本体の下部鞘管２ａをコの字形の固定部材５に対して傾斜角度を採用せず、直立した状態で溶接によって接合しても良い。
【００４５】
さらに、下部の鞘管２ａの側面には親綱支柱１の運搬及び保管時の取り扱いが便利なように取手１５が取り付けられている。また、上部の芯管の端部の側面には幅調整部材１７が取り付けられており、親綱支柱１の複数個を横向けに載置した状態において、上部の芯管２ｂの端部の高さと固定部材５の高さを揃えることができる。
【００４６】
図２は、図１で示された親綱支柱が立設された鉄骨梁のフランジ上を作業者が歩行する際に、作業者の腰に取り付けた安全帯の先端に設けたフックを、親綱支柱間に架け渡された親綱に引っ掛けた状態の一例を示す正面図である。
【００４７】
図１に示した親綱支柱１の固定部５のコの字形の湾曲部に、鉄骨梁２０のフランジ部２０ａを嵌め込んだ後、鉄骨梁２０のフランジ部２０ａの上部に取り付けボルト７を締め付けることによって、２本の親綱支柱１が鉄骨梁２０のフランジ部２０ａに立設され、固定される。そして、それぞれの親綱支柱１の上端に取り付けられた親綱保持金具１０を結んで、親綱３０が架け渡されている。
【００４８】
作業者３１は、腰に取り付けた安全帯３２の先端に設けたフック３３を親綱３０に引っ掛け、ロック（図示せず）をしたのち、親綱３０に沿って歩行している状態である。作業者３１は、この親綱３０を伝って、鉄骨梁２０のフランジ２０ａの上を歩行することができる。
【００４９】
図３は、図２の状態にある作業者が万一、鉄骨梁から落下したときの親綱と親綱支柱の状態の一例を示す正面図である。
【００５０】
作業者３１が誤って鉄骨梁２０から足を踏み外して落下した場合には、作業者３１の体重分の衝撃荷重が親綱３０に対して垂直方向に作用し、親綱３０には引張力が働いて、親綱支柱１の上端に取り付けられた親綱保持金具１０を互いに引き寄せる力が発生する。
【００５１】
しかしながら、親綱支柱１は親綱支柱本体が、テーパー管からなる下部の鞘管２ａと、この鞘管内部に挿入かつ固定された上部の芯管２ｂとから構成されていて、下部鞘管２ａの上端の直上の芯管部分に断面積の小さい応力集中部が設けられているので、作業者が鉄骨梁から落下した場合には、親綱支柱本体がこの応力集中部で折れ曲がるから、その作業者の落下距離は短くて済む。また、この応力集中部の断面積が小さいから撓りやすくなるので、鞘管の上端の直上の芯管部分が折れ曲がる前の弾性変形量は大きくなる。したがって、落下した作業者に作用する衝撃荷重を小さくすることができる。
【００５２】
そして、このように折れ曲がった親綱支柱の修理は、折れ曲がった上部芯管２ｂのみを取り換えればよい。
【００５３】
図４は、図１に示す親綱支柱の上部芯管を下部鞘管内に収容したときの一例である。(a)は正面図、(b)は右側面図を示す。
【００５４】
図１に示す状態から、接続部２ｃに穿たれた孔４ｃから出ている、上部の芯管２ｂの２個の下部ピン３ａの頭を人力によって押さえつけたまま、上部の芯管２ｂを下部の鞘管２ａの中に押し込み、次に、上部の芯管２ｂの２個の上部ピン３ｂの頭を接続部２ｃに穿たれた孔４ｃから出すことによって、下部の鞘管２ａから上部の芯管２ｂを最小限に引き出した状態で固定することができる。ここでも、２個の上部ピン３ｂはバネ鋼８によって外向きに付勢されているので、この上部ピン３ｂの頭を人力によって押さえつけない限り、接続部２ｃに穿たれた２個の孔４ｃから外れることはないので、ピン自体がストッパーの役目を果たしていることになる。
【００５５】
図５は、上部芯管を下部鞘管内に収容した状態の複数の親綱支柱を運搬のために結束する前の整頓した状態を示す上面図である。
【００５６】
上部の芯管２ｂの端部の側面には幅調整部材１７が取り付けられており、上部の芯管２ｂの一部を下部の鞘管２ａの内部に収容した状態の親綱支柱１の複数個を横向けに載置した状態において、上部の芯管２ｂの端部の高さと固定部材５の高さを揃えることができるので、スペースの無駄を少なくして、複数個の親綱支柱１を保管することができるとともに運搬することができる。
【実施例２】
【００５７】
図６は、本発明に係る親綱支柱の他の例である。(a)は正面図、(b)は右側面図、そして、(c)はＡ−Ａ矢視断面図（拡大図）を示す。
【００５８】
この親綱支柱１は、支柱本体と、支柱本体の上端部に取り付けられた親綱保持金具１０と、Ｈ形鋼からなる鉄骨梁のフランジ部に固定するための固定部材５からなる。
【００５９】
図１に示す親綱支柱とは、支柱本体の断面が正方形である点でのみ異なる。すなわち、支柱本体は、上方に向かって断面が幅狭となる断面正方形のテーパー管からなる下部の鞘管２ａと、この鞘管２ａの内部に挿入可能かつ固定可能な上部の芯管２ｂとからなり、上部の芯管２ｂは断面正方形の直管から製作されている。ここで、下部の鞘管２ａは、鉄板を台形に裁断し、縦方向に３つ折りしたものを、お互いに向かい合わせて、その両側辺の間で線溶接Ｗをすることによって、断面正方形のテーパー管の形状に成形されたものである（図６(c)参照）。そして、鞘管２ａの上端部には、その中に芯管２ｂの下端部を嵌合させて挿入できるように、断面正方形の直管からなる接続部２ｃが設けられている。
【００６０】
上部の芯管２ｂの側面には、下端近傍に２個の下部孔４ａと中程に２個の上部孔４ｂとからなる合計４個の孔が穿たれ、それぞれの孔の内側にはピンが外向きに付勢された状態で設置されている。すなわち、下端近傍の２個の下部孔４ａのそれぞれの内側に下部ピン３ａと、中程の２個の上部孔４ｂのそれぞれの内側には上部ピン３ｂとが設置されており、上部の芯管２ｂの内部に取り付けられたバネ鋼８により、上部ピン３ａと下部ピン３ｂの頭がそれぞれの孔から出るように外向きに付勢されている。
【００６１】
また、接続部２ｃには２個の孔４ｃが穿たれており、上部の芯管２ｂの側面の下端近傍に設けられた２個の下部ピン３ａの頭が接続部２ｃに穿たれた２個の孔４ｃから出ている。なお、２個の下部ピン３ａはバネ鋼によって外向きに付勢されているので、この下部ピン３ａの頭を人力によって押さえつけない限り、接続部２ｃに穿たれた２個の孔４ｃから外れることはない。
【００６２】
このように、上部の芯管２ｂの下部ピン３ａの頭を接続部２ｃに穿たれた２個の孔４ｃから出すことによって、下部の鞘管２ａから上部の芯管２ｂを最大限に引き出した状態で固定することができる。ここでは、ピン自体がストッパーの役目を果たしていることになる。
【００６３】
支柱本体は、鉄骨梁のフランジ部の上に支柱本体の上端に向かって鉄骨梁から遠ざかる向きに１０゜の傾斜角度を持たせて立設かつ固定されるが、このために支柱本体の下部鞘管２ａは固定部材５に対して１０゜傾斜した状態で溶接によって接合されている。この固定部材５は、万力構造をしており、側面からみてコの字形の湾曲部を有している。コの字形の湾曲部の下面には下部固定板６が設けられ、そして、上面には取り付けボルト７が設けられている。この下部固定板６の上に、鉄骨梁のフランジ部を嵌め込み、取り付けボルト７を上から締め付けることによって、この固定部材５を鉄骨梁のフランジ部に固定することができる。なお、ここでは、支柱本体の上端に向かって鉄骨梁から遠ざかる向きの傾斜角度として１０゜を採用したが、支柱本体の上端に向かって鉄骨梁から遠ざかる向きの傾斜角度としては５〜２０゜の間で適宜選択することができる。また、支柱本体の下部鞘管２ａをコの字形の固定部材５に対して傾斜角度を採用せず、直立した状態で溶接によって接合しても良い。
【００６４】
さらに、下部の鞘管２ａの側面には親綱支柱１の運搬及び保管時の取り扱いが便利なように取手１５が取り付けられている。また、上部の芯管の端部の側面には幅調整部材１７が取り付けられており、親綱支柱１の複数個を横向けに載置した状態において、上部の芯管２ｂの端部の高さと固定部材５の高さを揃えることができる。
【００６５】
この親綱支柱１は、図２に示したのと同様に、固定部５のコの字形の湾曲部に、鉄骨梁２０のフランジ部２０ａを嵌め込んだ後、鉄骨梁２０のフランジ部２０ａの上部に取り付けボルト７を締め付けることによって、２本の親綱支柱１が鉄骨梁２０のフランジ部２０ａに立設され、固定される。そして、それぞれの親綱支柱１の上端に取り付けられた親綱保持金具１０を結んで、親綱３０が架け渡される。
【００６６】
作業者３１は、腰に取り付けた安全帯３２の先端に設けたフック３３を親綱３０に引っ掛け、ロック（図示せず）をしたのち、親綱３０に沿って歩行している状態である。作業者３１は、この親綱３０を伝って、鉄骨梁２０のフランジ２０ａの上を歩行することができる。
【００６７】
そして、図３に示したのと同様に、作業者３１が誤って鉄骨梁２０から足を踏み外して落下した場合には、作業者３１の体重分の衝撃荷重が親綱３０に対して垂直方向に作用し、親綱３０には引張力が働いて、親綱支柱１の上端に取り付けられた親綱保持金具１０を互いに引き寄せる力が発生する。
【００６８】
しかしながら、親綱支柱１は親綱支柱本体が、テーパー管からなる下部の鞘管２ａと、この鞘管内部に挿入かつ固定された上部の芯管２ｂとから構成されていて、下部鞘管２ａの上端の直上の芯管部分に断面積の小さい応力集中部が設けられているので、作業者が鉄骨梁から落下した場合には、親綱支柱本体がこの応力集中部で折れ曲がるから、その作業者の落下距離は短くて済む。また、この応力集中部の断面積が小さいから撓りやすくなるので、鞘管の上端の直上の芯管部分が折れ曲がる前の弾性変形量は大きくなる。したがって、落下した作業者に作用する衝撃荷重を小さくすることができる。
【００６９】
そして、このように折れ曲がった親綱支柱の修理は、折れ曲がった上部芯管２ｂのみを取り換えればよい。
【００７０】
図７は、図６に示す親綱支柱の上部芯管を下部鞘管内に収容したときの一例である。(a)は正面図、(b)は右側面図を示す。
【００７１】
図６に示す状態から、接続部２ｃに穿たれた孔４ｃから出ている、上部の芯管２ｂの２個の下部ピン３ａの頭を人力によって押さえつけたまま、上部の芯管２ｂを下部の鞘管２ａの中に押し込み、次に、上部の芯管２ｂの２個の上部ピン３ｂの頭を接続部２ｃに穿たれた孔４ｃから出すことによって、下部の鞘管２ａから上部の芯管２ｂを最小限に引き出した状態で固定することができる。ここでも、２個の上部ピン３ｂはバネ鋼８によって外向きに付勢されているので、この上部ピン３ｂの頭を人力によって押さえつけない限り、接続部２ｃに穿たれた２個の孔４ｃから外れることはないので、ピン自体がストッパーの役目を果たしていることになる。
【００７２】
この親綱支柱１も、上部の芯管２ｂの端部の側面には幅調整部材１７が取り付けられており、上部の芯管２ｂの一部を下部の鞘管２ａの内部に収容した状態の親綱支柱１の複数個を横向けに載置した状態において、上部の芯管２ｂの端部の高さと固定部材５の高さを揃えることができるので、図５に示したのと同様に、スペースの無駄を少なくして、複数個の親綱支柱１を保管することができるとともに運搬することができる。
【産業上の利用可能性】
【００７３】
本発明によれば、親綱支柱本体を軽量化するとともに、親綱支柱本体の側辺に凹凸部及び凹部のいずれをも形成することなく、支柱本体に応力集中部を設けてなる親綱支柱を提供することができる。
【符号の説明】
【００７４】
１  親綱支柱
２ａ  鞘管
２ｂ  芯管
２ｃ  接続部
３ａ  下部ピン
３ｂ  上部ピン
４ａ  芯管の下部孔
４ｂ  芯管の上部孔
４ｃ  接続部の孔
５  固定部材
６  下部固定板
７  取り付けボルト
８  バネ鋼
１０  親綱保持金具
１５  取手
１７  幅調整部材
２０  鉄骨梁
２０ａ  鉄骨梁のフランジ部
３０  親綱
３１  作業者
３２  安全帯
３３  フック
Ｗ  溶接
【図１】
2010185261.tif 000003
【図２】
2010185261.tif 000004
【図３】
2010185261.tif 000005
【図４】
2010185261.tif 000006
【図５】
2010185261.tif 000007
【図６】
2010185261.tif 000008
【図７】
2010185261.tif 000009